(57)【要約】      （修正有）【課題】碍子が固定されている電線にバインド線及び碍子を収納することのできる作業効率及び安全性に優れた電線防護具を提供する。【解決手段】電柱上の碍子に支持される架空電線のうち、前記碍子から見て一方側に延びる前記架空電線を覆う第１の保護管２０及び前記碍子から見て他方側に延びる前記架空電線を覆う第２の保護管２０が連結され、前記第１保護管及び前記第２保護管の間の前記架空電線と前記碍子とを覆う碍子被覆具１０であって、耐摩耗材料及び絶縁材料を含んで形成され、第１の保護管及び第２の保護管の間の架空電線と碍子とを覆う被覆部１１と、第１の保護管及び第２の保護管が架空電線の動きに応じて動くように、第１の保護管及び第２の保護管と連結される連結部１４と、を備えたことを特徴とする。【選択図】図１
2017093241.tif 000002
【特許請求の範囲】
【請求項１】
電柱上の碍子に支持される架空電線のうち、前記碍子から見て一方側に延びる前記架空電線を覆う第１保護管、及び、前記碍子から見て他方側に延びる前記架空電線を覆う第２保護管が連結され、前記第１保護管及び前記第２保護管の間の前記架空電線と前記碍子とを覆う碍子被覆具であって、
耐摩耗材料及び絶縁材料を含んで形成され、前記第１保護管及び前記第２保護管の間の前記架空電線と前記碍子とを覆う被覆部と、
前記第１保護管及び前記第２保護管が前記架空電線の動きに応じて動くように、前記第１保護管及び前記第２保護管と連結される連結部と、
を備えたことを特徴とする碍子被覆具。
【請求項２】
前記被覆部は、
耐摩耗材料で形成される第１層と、
絶縁材料で形成され、前記第１層に対して前記碍子に近い側に形成される第２層と、
を含んで形成されることを特徴とする請求項１に記載の碍子被覆具。
【請求項３】
前記第１層と前記第２層は、夫々、異なる色で形成される
ことを特徴とする請求項２に記載の碍子被覆具。
【請求項４】
電柱上の碍子に支持される架空電線のうち、耐摩耗材料と絶縁材料を含んで形成され、前記碍子から見て一方側に延びる前記架空電線を覆う第１保護管と、
前記電柱上の前記碍子に支持される前記架空電線のうち、耐摩耗材料と絶縁材料を含んで形成され、前記碍子から見て他方側に延びる前記架空電線を覆う第２保護管と、
耐摩耗材料と絶縁材料を含んで形成され、前記第１保護管及び前記第２保護管の間の前記架空電線と前記碍子とを覆う被覆部と、前記第１保護管及び前記第２保護管が前記架空電線の動きに応じて動くように、前記第１保護管及び前記第２保護管が連結される連結部と、を有する碍子被覆具と、
を備えたことを特徴とする電線保護具。
【請求項５】
前記第１保護管は、筒形状を呈するとともに長手方向に沿って形成され、前記架空電線を覆うときに開き、覆った後に閉じる第１開閉部と、前記第１開閉部が閉じた状態を保持する第１保持部とを有し、
前記第２保護管は、筒形状を呈するとともに長手方向に沿って形成され、前記架空電線を覆うときに開き、覆った後に閉じる第２開閉部と、前記第２開閉部が閉じた状態を保持する第２保持部とを有する、
ことを特徴とする請求項４に記載の電線保護具。
【請求項６】
前記第１保護管は、前記連結部に連続して設けられ、蛇腹形状を呈する第１変形部を有し、
前記第２保護管は、前記連結部に連続して設けられ、蛇腹形状を呈する第２変形部を有する、
ことを特徴とする請求項４又は請求項５に記載の電線保護具。
【請求項７】
前記碍子被覆具は、前記第１保護管及び前記第２保護管が連結された状態を保持する第３保持部が設けられている
ことを特徴とする請求項４乃至請求項６の何れか一項に記載の電線保護具。
【発明の詳細な説明】
【技術分野】
【０００１】
本発明は、電線防護具に関する。
【背景技術】
【０００２】
例えば、内層と外層とからなる内外二層構造の架空電線防護管が知られている。（例えば特許文献１）。
【先行技術文献】
【特許文献】
【０００３】
【特許文献１】特開２００３−２８９６１５号公報
【発明の概要】
【発明が解決しようとする課題】
【０００４】
例えば、架空電線路において、樹木等が架空電線に近接している場合、電気設備技術基準第７９条によれば電線を防護具に収めて施設する必要がある。防護具は、絶縁耐力及び耐摩耗性を有する摩耗検知層の上部に摩耗層を施した構造で、外部から電線に接触する虞がないように電線を覆うことができるものである。架空電線のみが樹木等に近接している場合は、特許文献１の架空電線防護管を利用して電気設備技術基準を満足することが可能である。しかし、架空電線が碍子に固定されている箇所において樹木等に近接している場合は、作業員が架空電線を碍子から外して、防護具に架空電線を収め、再度、バインド線で電線管を碍子に固定しなければならず作業に時間を要する虞があった。しかも、当該作業は、直接活線作業になるため、感電事故等を引き起こす虞があった。
【０００５】
そこで、本発明は、電線がバインド線で碍子に固定されている状況において、電線、バインド線及び碍子を収められる電線防護具を提供し、作業効率向上及び安全性向上を図ることを目的とする。
【課題を解決するための手段】
【０００６】
前述した課題を解決する主たる本発明は、電柱上の碍子に支持される架空電線のうち、前記碍子から見て一方側に延びる前記架空電線を覆う第１保護管、及び、前記碍子から見て他方側に延びる前記架空電線を覆う第２保護管が連結され、前記第１保護管及び前記第２保護管の間の前記架空電線と前記碍子とを覆う碍子被覆具であって、耐摩耗材料及び絶縁材料を含んで形成され、前記第１保護管及び前記第２保護管の間の前記架空電線と前記碍子とを覆う被覆部と、前記第１保護管及び前記第２保護管が前記架空電線の動きに応じて動くように、前記第１保護管及び前記第２保護管と連結される連結部と、を備えたことを特徴とする。
【０００７】
本発明の他の特徴については、添付図面及び本明細書の記載により明らかとなる。
【発明の効果】
【０００８】
本発明によれば、バインド線で碍子に固定された電線を碍子から外すことなく電線防護具に収められるため、作業効率の向上を図ることが可能になる。
【図面の簡単な説明】
【０００９】
【図１】本実施形態に係る電線防護具を示す斜視図である。
【図２】本実施形態に係る電線防護具を＋Ｚ方向に向かって見た状態を示す図である。
【図３】本実施形態に係る電線防護具を−Ｙ方向に向かって見た状態を示す図である。
【図４】本実施形態に係る電線防護具を＋Ｙ方向に向かって見た状態を示す図である。
【図５】本実施形態に係る電線防護具Ａ−Ａ断面を示す図である。
【図６】本実施形態に係る電線防護具Ｂ−Ｂ断面を示す図である。
【図７】本実施形態に係る電線防護具Ｃ−Ｃ断面を示す図である。
【図８】本実施形態に係る電線防護具Ｄ−Ｄ断面を示す図である。
【図９】本実施形態に係る電線防護具の使用状況を示す斜視図である。
【発明を実施するための形態】
【００１０】
本明細書および添付図面の記載により、少なくとも以下の事項が明らかとなる。
【００１１】
図１は、本実施形態に係る電線防護具を示す斜視図である。図２は、本実施形態に係る電線防護具を＋Ｚ方向に向かって見た状態を示す図である。図３は、本実施形態に係る電線防護具を−Ｙ方向に向かって見た状態を示す図である。図４は、本実施形態に係る電線防護具を＋Ｙ方向に向かって見た状態を示す図である。図５は、本実施形態に係る電線防護具Ａ−Ａ断面を示す図である。図６は、本実施形態に係る電線防護具Ｂ−Ｂ断面を示す図である。図７は、本実施形態に係る電線防護具Ｃ−Ｃ断面を示す図である。図８は、本実施形態に係る電線防護具Ｄ−Ｄ断面を示す図である。図９は、本実施形態に係る電線防護具の使用状況を示す斜視図である。Ｘ軸は電線防護具の長手方向に沿う軸であり、Ｙ軸は碍子被覆具の中心軸に沿う軸であり、Ｚ軸はＸ軸及びＹ軸に直交する軸である。尚、図１〜図９においては、同一であるものには同一引用数字を用いている。
【００１２】
＝＝＝電線防護具の構成＝＝＝
以下、図１〜図９を参照しつつ、本実施形態に係る電線防護具１について説明する。
【００１３】
電線防護具１は、バインド線３００等で碍子２００に固定されている架空電線１００が樹木等に近接している状況において、バインド線３００、碍子２００及び架空電線１００を覆って、樹木等から物理的及び電気的に隔離する道具である。電線防護具１は、碍子被覆具１０、保護管２０を含んで構成される。
【００１４】
＜＜碍子被覆具＞＞
碍子被覆具１０は、碍子２００を覆うように、碍子２００にバインド線３００等で固定されている部分の架空電線１００（以下、「固定架空電線１０１」と称する。）を樹木等から保護する道具である。碍子被覆具１０は、被覆部１１、連結部１４を含んで構成されている。
【００１５】
被覆部１１は、固定架空電線１０１を物理的及び電気的に保護するために碍子２００を覆う部分である。被覆部１１は、例えば耐摩耗材料で形成される第１外層１２と絶縁材料で形成される第１内層１３との二層で構成され、例えば碍子２００を覆うことができるように中空の無底鏡餅形状を呈している。被覆部１１は、碍子２００に被せた状態において、例えば固定架空電線１０１が嵌る直線状の窪み１１Ａを有する。
【００１６】
第１外層１２は、樹木等からの接触に対して耐摩耗性を有する材料で形成され、例えばポリエチレン材料で形成されていることが好ましい。第１外層１２は、後述する第１内層１３に対して、碍子２００に対して遠い側に積層されている。第１外層１２は、色を限定されるものではないが、後述する第１内層１３の色とは異なる色で形成され、例えば黒色で形成されていることが好ましい。
【００１７】
第１内層１３は、樹木等と固定架空電線１０１とを電気的に隔絶するために絶縁性を有する材料で形成され、例えばポリエチレン材料で形成されていることが好ましい。第１内層１３は、第１外層１２に対して、碍子２００に近い側に積層されている。第１内層１３は、第１外層１２が摩耗している状態が視認されるように、第１外層１２とは異なる色で形成され、例えば黄色で形成されていることが好ましい。
【００１８】
連結部１４は、碍子被覆具と保護管２０とが連結される部分である。連結部１４は、例えば第１連結部１５、第２連結部２３を含んで構成されている。
【００１９】
第１連結部１５は、碍子被覆具１０に設けられ、後述する保護管２０の第２連結部２３が挿入される部分である。第１連結部１５は、例えば被覆部１１と同様の第１外層１２と第１内層１３との二層で構成されている。第１連結部１５は、例えば碍子被覆具１０に対して一体的に設けられ、保護管２０が挿入される方向（Ｘ方向）に沿って、例えば碍子被覆具１０の周面から突出するように一つが設けられ、それと一直線上に対向する周面から突出するように一つが設けられている。つまり、第１連結部１５は、例えば碍子被覆具１０の周面から突出するように、Ｘ軸に沿って＋Ｘ側と−Ｘ側に夫々一つずつ設けられている。第１連結部１５は、Ｘ軸に沿って見たときに、例えばトンネル状の孔を呈している。第１連結部１５は、保護管２０が挿入されやすいように、例えば保護管２０が挿入される端部がラッパ状を呈している。第１連結部１５は、保護管保持部１６を含んで構成されている。
【００２０】
保護管保持部１６は、第１突起部材１６Ａと、第１突起部材１６Ａに引っかかる第１引掛部材１６Ｂとで構成されている。第１突起部材１６Ａ及び第１引掛部材１６Ｂは、第１連結部１５の外周面にあって、第１突起部材１６Ａを第１引掛部材１６Ｂに近づけるに従って、第１連結部１５の内周径が小さくなるように設けられ、例えば−Ｙ端部近傍に夫々が割れ目を隔てて設けられている。つまり、保護管保持部１６は、第１連結部１５に後述する第２連結部２３が挿入された状態で、第１突起部材１６Ａを第１引掛部材１６Ｂに引掛けると、第１連結部１５の内周面が第２連結部２３の外周面に対して圧接するように設けられている。
【００２１】
第２連結部２３については、後述する保護管２０の説明において詳述する。
【００２２】
尚、上記において、被覆部１１は無底鏡餅形状であるとして説明したが、これに限定されない。例えば、有底筒状でもよく、様々な形状の碍子２００に対応するために形状を特定するものではない。又、上記において、被覆部１１は窪み１１Ａを有するとして説明したが、これに限定されない。例えば、窪み１１Ａを有する必要はない。又、窪み１１Ａは、その配置を限定されるものではない。窪み１１Ａは、例えばＸ軸に沿って設けられていればよく、Ｚ軸に沿う位置については限定されるものではない。又、上記において、第１外層１２及び第１内層１３はポリエチレン材料で形成されていることが好ましいとして記載したが、これに限定されない。例えば、第１外層１２は耐摩耗性を有し、第１内層１３は絶縁性を有する材料で形成されていればよい。又、上記において、第１連結部１５は端部がラッパ状を呈しているとして記載したが、これに限定されない。ラッパ状を呈している必要はなく、例えば直線状であっても良い。又、上記において、保護管保持部１６は−Ｙ端部近傍に夫々が割れ目を隔てて設けられているとし記載したが、これに限定されない。例えば、−Ｙ端部近傍に設けられる必要はなく、第１突起部材１６Ａが第１引掛部材１６Ｂに引掛けると、第１連結部１５の内周面が第２連結部２３の外周面に対して圧接するように設けられていればよいため、その配置を限定するものではない。
【００２３】
＜＜保護管＞＞
保護管２０は、碍子被覆具１０に連結されて、碍子被覆具１０では保護出来ない部分の架空電線１００を樹木等から保護する道具である。保護管２０は、例えば碍子被覆具１０の夫々の第１連結部１５に後述する第２連結部２３を連結させて使用される。つまり、保護管２０は、碍子被覆具１０では保護できない範囲の架空電線１００を樹木等から保護するために使用される。保護管２０は、例えば碍子被覆具１０の第１外層１２と第１内層１３と、同様の材質からなる第２外層２１と第２内層２２との二層で構成されている。保護管２０は、第２連結部２３、第３連結部２４、変形部２５、嵌合部２６、電線保持部２７を含んで構成されている。
【００２４】
第２連結部２３は、第１連結部１５に挿入される部分である。第２連結部２３は、例えば保護管２０の端部に設けられ、保護管２０と一体的に設けられている。第２連結部２３は、例えば第１連結部１５に挿入される端部に膨らみを有している。つまり、第２連結部２３は、第１連結部１５に挿入されると、端部の膨らみが第１連結部１５の内部に係合して第１連結部１５から外れにくくなる。
【００２５】
第３連結部２４は、第２連結部２３と反対側の端部に設けられ、他電線管４００が挿入される部分である。第３連結部２４は、例えば保護管２０と一体的に設けられている。第３連結部２４は、他電線管４００が挿入されやすいように、例えば端部がラッパ状を呈している。
【００２６】
変形部２５は、例えば碍子被覆具１０の第１連結部１５から延出する架空電線１００の湾曲に応じて変形する部分である。変形部２５は、例えば第２連結部２３に連続して設けられ、保護管２０と一体的に設けられている。変形部２５は、例えば第２外層２１と第２内層２２との二層で形成され、例えば蛇腹形状を呈している。
【００２７】
嵌合部２６は、例えば保護管２０の第２連結部２３の端部から第３連結部２４の端部に渡って−Ｙ側に設けられ、かつ、Ｘ軸に沿って設けられている部分である。嵌合部２６は、架空電線１００が保護管２０で覆われた状態において嵌合されて、架空電線１００が保護管２０から外れないように維持する。つまり、嵌合部２６は、保護管２０が閉じられた状態を維持するために設けられている部分である。嵌合部２６は、例えば保護管２０に一体的に設けられている。嵌合部２６は、保護管２０の−Ｙ側の縁に山形状と谷形状とを有し、夫々の山形状と谷形状とが嵌合するように構成されている。
【００２８】
電線保持部２７は、第２突起部材２７Ａと、第２突起部材２７Ａに引っかかる第２引掛部材２７Ｂとで構成されている。電線保持部２７は、保護管２０の外周面の−Ｙ側にあって、かつ、Ｘ軸に沿って設けられている。第２突起部材２７Ａ及び第２引掛部材２７Ｂは、第２突起部材２７Ａを第２引掛部材２７Ｂに近づけるに従って、嵌合部２６がより深く嵌合するように配置されている。電線保持部２７は、例えば保護管２０の−Ｙ端部に、Ｘ軸に沿って一定の間隔で複数設けられている。
【００２９】
尚、上記において、電線防護具１は、保護管２０を含んで構成されているとして記載したが、これに限定されない。例えば、保護管２０を含まず、被覆防護具のみで構成されていてもよい。又、上記において、第２連結部２３は、保護管２０と一体的に設けられているとして記載したがこれに限定されない。例えば、第２連結部２３は、第１連結部１５と連結できる部材を用いても良い。又、上記において、第３連結部２４は、保護管２０と一体的に設けられているとして記載したがこれに限定されない。例えば、第３連結部２４は、他電線管４００と連結できる部材を用いても良い。又、上記において、変形部２５は、保護管２０に設けられているとして記載したが、これに限定されない。例えば、変形部２５は、碍子被覆具１０の第１連結部１５に連続して一体的に設けられていてもよい。又、上記において、保護管２０は、嵌合部２６を有するとして記載したが、これに限定されない。例えば、嵌合部２６を有しなくても電線保持部２７のみで構成されていてもよい。又、上記において、保護管２０は、電線保持部２７を有するとして記載したが、これに限定されない。例えば、電線保持部２７を有しなくても嵌合部２６のみで構成されていてもよい。
【００３０】
＝＝＝手順＝＝＝
以下、図９を参照しつつ、本実施形態に係る電線防護具１の設置手順について説明する。図９は、本実施形態に係る電線防護具１の使用状況を示す斜視図である。
【００３１】
先ず、作業員は、樹木等が接触している架空電線１００を確認する。接触している架空電線１００が碍子２００に固定されていない場合、従来の電線保護管で保護すればよい。しかし、接触している架空電線１００が碍子２００に固定されている場合（図９のような状況）、電気設備技術基準を遵守する観点から、碍子２００に固定されている固定架空電線１０１を電線防護具１で覆う必要がある。
【００３２】
次に、作業員は、高所作業車等を準備して、間接工具が碍子２００に届く距離まで接近する。作業員は、間接工具（不図示）を準備する。当該間接工具には、例えば絶縁ヤットコが使用される。
【００３３】
次に、作業員は、保護管２０を準備する。作業員は、保護管２０の嵌合部２６が外れ、電線保持部２７が外れていることを確認する。作業員は、間接工具で保護管２０を挟持して、碍子２００の前後の架空電線１００に保護管２０を被せる。作業員は、間接工具で保護管２０の嵌合部２６を嵌合させる。その後に、間接工具で電線保持部２７の第２突起部材２７Ａを第２引掛部材２７Ｂに引掛ける。
【００３４】
次に、作業員は、碍子被覆具１０を準備する。作業員は、碍子被覆具１０の保護管保持部１６が外れていることを確認する。作業員は、間接工具で碍子被覆具１０を挟持して、碍子被覆具１０を碍子２００に被せる。作業員は、間接工具を利用して、保護管２０の第２連結部２３を碍子被覆具１０の第１連結部１５に挿入する。作業員は、碍子被覆具１０の保護管保持部１６の第１突起部材１６Ａを第１引掛部材１６Ｂに引掛ける。作業員は、碍子被覆具１０から保護管２０が外れないことを確認する。
【００３５】
上記の作業により、固定架空電線１０１は、碍子２００及びバインド線３００と共に電線保護具により樹木等から保護される。
【００３６】
尚、電線防護具１が樹木等の接触により、電線防護具１の第１外層１２又は第２外層２１が摩耗すると、内側の第１内層１３又は第２内層２２が露出する。第１内層１３又は第２内層２２が露出することにより、作業員は、第１外層１２又は第２外層２１が摩耗していることが確認できる。
【００３７】
以上説明したように、本実施形態に係る碍子被覆具１０は、電柱上の碍子２００に支持される架空電線１００のうち、碍子２００から見て一方側に延びる架空電線１００を覆う保護管２０、及び、碍子２００から見て他方側に延びる架空電線１００を覆う保護管２０が連結され、夫々の保護管２０の間の固定架空電線１０１と碍子２００とを覆う碍子被覆具１０であって、耐摩耗材料及び絶縁材料を含んで形成され、夫々の保護管２０の間の固定架空電線１０１と碍子２００とを覆う被覆部１１と、保護管２０が架空電線１００の動きに応じて動くように、保護管２０と連結される連結部１４と、を備えている。本実施形態によれば、従来は、碍子２００から固定架空電線１０１を取り外して固定架空電線１０１を電線管に収め、再度、電線管を碍子２００に固定する必要があった作業を、碍子２００から架空電線を取り外さずに碍子被覆具１０で固定架空電線１０１及び碍子２００を覆うことができるため作業効率向上と安全性向上が図れる。
【００３８】
又、本実施形態に係る碍子被覆具１０において、被覆部１１は、耐摩耗材料で形成される第１外層１２と、絶縁材料で形成され、第１外層１２に対して碍子２００に近い側に形成される第１内層１３と、を含んで形成されている。本実施形態によれば、第１外層１２及び第１内層１３ともに耐摩耗性及び絶縁性を有する材料を使用する必要がなく、電気設備技術基準に適合した碍子被覆具１０が製作されるためコスト縮減が図れる。
【００３９】
又、本実施形態に係る碍子被覆具１０において、第１外層１２と第１内層１３は、夫々、異なる色で形成されている。本実施形態によれば、作業員は、第１外層１２が摩耗した状況を第１内層１３の色で視認することができるため作業効率の向上が図れる。
【００４０】
又、本実施形態に係る電線防護具１において、電柱上の碍子２００に支持される架空電線１００のうち、耐摩耗材料と絶縁材料を含んで形成され、碍子２００から見て一方側に延びる架空電線１００を覆う保護管２０と、電柱上の碍子２００に支持される架空電線１００のうち、耐摩耗材料と絶縁材料を含んで形成され、碍子２００から見て他方側に延びる架空電線１００を覆う保護管２０と、耐摩耗材料と絶縁材料を含んで形成され、夫々の保護管２０の間の固定架空電線１０１と碍子２００とを覆う被覆部１１と、保護管２０が架空電線１００の動きに応じて動くように、保護管２０が連結される連結部１４と、を有する碍子被覆具１０と、を備えている。本実施形態によれば、碍子２００に固定されている固定架空電線１０１の固定されていない前後の架空電線１００をも保護管２０で保護できるため安全性の向上が図れる。
【００４１】
又、本実施形態に係る電線防護具１において、保護管２０は、筒形状を呈するとともに長手方向に沿って形成され、架空電線１００を覆うときに開き、覆った後に閉じる嵌合部２６と、嵌合部２６が閉じた状態を保持する電線保持部２７とを有している。本実施形態によれば、作業員が間接工具を利用して保護管２０を架空電線１００に設置することが確実になり、さらに容易になるため安全性向上及び作業効率向上が図れる。
【００４２】
又、本実施形態に係る電線防護具１において、保護管２０は、第２連結部２３に連続して設けられ、蛇腹形状を呈する変形部２５を有している。本実施形態によれば、碍子２００から延出する架空電線１００の曲がりに沿って保護管２０が変形可能となり、設置が容易になるため作業効率の向上が図れる。
【００４３】
又、本実施形態に係る電線防護具１において、碍子被覆具１０は、保護管２０が連結された状態を保持する保護管保持部１６が設けられている。本実施形態によれば、碍子被覆具１０と保護管２０とを堅固に固定することができるため安全性向上が図れる。
【００４４】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４５】
１  電線防護具
１０  碍子被覆具
１１  被覆部
１２  第１外層
１３  第１内層
１４  連結部
１６  保護管保持部
２０  保護管
２３  第２連結部
２５  変形部
２６  嵌合部
２７  電線保持部
１００  架空電線
１０１  固定架空電線
２００  碍子
【図１】
2017093241.tif 000003
【図２】
2017093241.tif 000004
【図３】
2017093241.tif 000005
【図４】
2017093241.tif 000006
【図５】
2017093241.tif 000007
【図６】
2017093241.tif 000008
【図７】
2017093241.tif 000009
【図８】
2017093241.tif 000010
【図９】
2017093241.tif 000011